(57)【要約】【目的】本発明は、壁、天井等に設置されている換気扇の換気口に取り付けられている換気口に取り付けて使用する換気口カバーの改良に関する発明である。【構成】本発明である換気孔カバーは、断面形状が台形形状の多数の換気孔を穿設した第１換気孔部と、断面形状が台形形状の多数の換気孔を穿設した第２換気孔部と、断面形状が台形形状の多数の換気孔を穿設した第３換気孔部と、断面形状が台形形状の多数の換気孔を穿設した第４換気孔部とからなり、各換気孔部に穿設された換気孔を異なる方向に向けて穿設したことを特徴とする換気口カバーの構成とした。【選択図】　図１
2004116811.tif 000002
【特許請求の範囲】
【請求項１】
円形で断面形状が台形形状の多数の換気孔を穿設した第１換気孔部と、円形で断面形状が台形形状の多数の換気孔を穿設した第２換気孔部と、円形で断面形状が台形形状の多数の換気孔を穿設した第３換気孔部と、円形で断面形状が台形形状の多数の換気孔を穿設した第４換気孔部とからなり、各換気孔部に穿設された円形で断面形状が台形形状の換気孔を異なる方向に向けて穿設した各換気孔部としたことを特徴とする換気口カバー。
【請求項２】
第１換気孔部、第２換気孔部、第３換気孔部及び第４換気孔部の各換気孔部に穿設されている多数の換気孔を１換気孔づつ左右方向にずらして穿設したことを特徴とする請求項１に記載の換気口カバー。
【請求項３】
第１換気孔部、第２換気孔部、第３換気孔部及び第４換気孔部に穿設されている多数の換気孔を長方形状とするとともに断面形状を台形形状としたことを特徴とする請求項１に記載の換気口カバー。
【請求項４】
略Ｌ字型の誘導部を有するとともにＶ字型の条溝を有する断面形状が長方形状の多数の換気孔を穿設した第１換気孔部と、略Ｌ字型の誘導部を有するとともにＶ字型の条溝を有する断面形状が長方形状の多数の換気孔を穿設した第２換気孔部と、略Ｌ字型の誘導部を有するとともにＶ字型の条溝を有する断面形状が長方形状の多数の換気孔を穿設した第３換気孔部と、略Ｌ字型の誘導部を有するとともにＶ字型の条溝を有する断面形状が長方形状の多数の換気孔を穿設した第４換気孔部とからなり、穿設され断面形状が長方形状で誘導部を有する多数の換気孔を異なる方向に向けて穿設した各換気孔部としたことを特徴とする換気口カバー。
【請求項５】
第１換気孔部と第２換気孔部に穿設されている多数の換気孔を同一方向に穿設し、第２換気孔部と第４換気孔部に穿設されている多数の換気孔を前記第１換気孔部と前記第２換気孔部に穿設されている多数の換気孔が穿設されている方向とは逆方向としたことを特徴とする請求項４に記載の換気口カバー。
【請求項６】
誘導部を有する多数の換気孔を円形状に穿設した外換気孔部と、前記外換気孔部内に誘導部を有する多数の換気孔を円形状に穿設した内換気孔部を設けたことを特徴とする円形状の換気口カバー。
【請求項７】
直線状の誘導部を有するとともにＶ字型の条溝を有する断面形状が長方形状の多数の換気孔を穿設した第１換気孔部と、直線状の誘導部を有するとともにＶ字型の条溝を有する断面形状が長方形状の多数の換気孔を穿設した第２換気孔部と、直線状の誘導部を有するとともにＶ字型の条溝を有する断面形状が長方形状の多数の換気孔を穿設した第３換気孔部と、直線状の誘導部を有するとともにＶ字型の条溝を有する断面形状が長方形状の多数の換気孔を穿設した第４換気孔部とからなり、穿設された断面形状が長方形状で誘導部を有する多数の換気孔を異なる方向に向けて穿設した各換気孔部としたことを特徴とする換気口カバー。
【請求項８】
第１換気孔部と第２換気孔部に穿設されている多数の換気孔を同一方向に穿設し、第２換気孔部と第４換気孔部に穿設されている多数の換気孔を前記第１換気孔部と前記第２換気孔部に穿設されている多数の換気孔が穿設されている方向とは逆方向としたことを特徴とする請求項７に記載の換気口カバー。
【請求項９】
換気羽を有する多数の換気孔を円形状に穿設した外換気孔部と、前記外換気孔部内に換気羽を有する多数の換気孔を円形状に穿設した
内換気孔部を設けたことを特徴とする円形状の換気口カバー。
【発明の詳細な説明】
【０００１】
【発明が属する技術分野】
本発明は、壁、天井等に設置されている換気扇の換気口に取り付けられている換気口に取り付けて使用する換気口カバーの改良に関する発明である。
【０００２】
【従来の技術】
従来、壁、天井３等に換気のために設置されている換気扇１の換気口１ｃに取り付けられている換気口カバー１２は、図２７及び図２８に示すように、換気口カバー１２の上面１２ａから下面１２ｂにかけて垂直に穿設された多数の換気孔１２ｃ、１２ｃ、１２ｃ・・・から、換気口カバー１２の真下方向に存在する汚れた空気のみが換気孔１２ｃ・・・・から吸い上げられるのみである。
【０００３】
【発明が解決しようとする課題】
しかしながら、図２７に示すように、従来の換気口カバー１２では、換気口カバー１２の真下に空気が渦巻き状の流れを作り出す事ができず、換気孔カバー１２の真下に集まる汚れた空気のみが吸い上げられるだけで、部屋全体にある汚れた空気を吸い寄せて換気することができないとの欠点がある。
【０００４】
また、換気扇１に設けられたファン１ａのプロペラ１ｂの回転による吸引力だけに吸い上げを頼るため、室内、事務所内等の汚れた空気を換気するまでに時間がかかり無駄な電力を使うこととなっていたとの問題点がある。
【０００５】
そこで、本発明では、汚れた空気が吸い上げられる際に、換気口カバーの下及び換気口１ｃ内で、渦巻き状の空気の流れができ、部屋全体の空気を換気口カバーの下に集めやすくし、従来の換気扇の吸引力以上の吸引効果を出すことのできる換気口カバーを提供することを目的としている。
【０００６】
【課題を解決するための手段】
本発明である換気孔カバーは、上記の課題を解決するために、断面形状が台形形状の多数の換気孔を穿設した第１換気孔部と、断面形状が台形形状の多数の換気孔を穿設した第２換気孔部と、断面形状が台形形状の多数の換気孔を穿設した第３換気孔部と、断面形状が台形形状の多数の換気孔を穿設した第４換気孔部とからなり、各換気孔部に穿設された換気孔を異なる方向に向けて穿設したことを特徴とする換気口カバーの構成とした。
【０００７】
【実施例】
以下に、添付図面に基づき、本発明である換気口カバーについて詳細に説明する。図１は、本発明である換気口カバー２〜１１を使用し空気の流れを示した断面図である。
【０００８】
図１に示すように、本発明である換気口カバー２は、換気口１ｃを設けた壁、天井３等の背面に取り付ける換気扇１用の換気口１ｃに取り付けて使用する換気口カバー２である。換気口カバー２には、多数の換気孔２ｅ、２ｆ、２ｇ、２ｈが穿設されており、各換気孔２ｅ、２ｆ、２ｇ、２ｈは、吸気部２ｋと排気部２ｌの取付位置及び径が異なっている。
【０００９】
換気扇カバー２に穿設された換気孔２ｇ、２ｈを通り吸い込まれた室内等の汚れた空気は、それぞれ吸い出し方向の異なる排気部２ｌより換気扇１の換気口１ｃへ吸い上げられた時に渦巻き状の空気の流れを作り、その流れのまま、更にプロペラ１ｂに吸い上げられ、放出される。
【００１０】
換気口カバー２の下部では、吸気部２ｋから排気部２ｌに向かう傾斜方向がそれぞれ異なった方向である断面形状が略台形状の換気孔２ｅ、２ｆ、２ｇ、２ｈに吸い込まれる汚れている空気が、渦巻き状の空気の流れを作り出しているため、換気口カバー２の真下以外にその周囲からも汚れている空気が真下に集まりやすい状態を作っている。
【００１１】
図２は、換気口カバー第１実施例の底面図である。本例の換気口カバー２は、第１換気孔部２ａ、第２換気孔部２ｂ、第３換気孔部２ｃ及び第４換気孔部２ｄからなる。各換気孔部２ａ〜２ｄには、円形で断面形状が台形形状の多数の換気孔２ｅ、２ｆ、２ｇ、２ｈが穿設されている。
【００１２】
各換気孔２ｅ、２ｆ、２ｇ、２ｈは、等間隔に設けられている。また、各換気孔部２ａ〜２ｄに穿設されている各換気孔２ｅ〜２ｈは、それぞれ異なる方向を向いて穿設されている。
【００１３】
図２に示すように、第１換気孔部２ａは、断面形状が略台形状の多数の換気孔２ｅ、２ｅ、２ｅ、２ｅ・・・からなる。個々の換気孔２ｅ、２ｅ、２ｅ、２ｅ・・・は、吸気部２ｋ、２ｋ、２ｋ、２ｋ・・・から排気部２ｌ、２ｌ、２ｌ、２ｌ・・・方向に向かうにつれて、第２換気孔部２ｂへ向かうように穿設されている。
【００１４】
また、換気孔２ｅ、２ｅ、２ｅ、２ｅ・・・は、吸気部２ｋの径よりも排気部２ｌの径のほうが小さく形成されている。即ち、略擂り鉢状に形成されているのである。
【００１５】
第２換気孔部２ｂは、多数の換気孔２ｆ、２ｆ、２ｆ、２ｆ・・・からなり、個々の換気孔２ｆ、２ｆ、２ｆ、２ｆ・・・は、吸気部２ｋ、２ｋ、２ｋ、２ｋ・・・から排気部２ｌ、２ｌ、２ｌ、２ｌ・・・方向に向かうにつれて、第４換気孔部２ｄに向かうように穿設されている。
【００１６】
また、換気孔２ｆ、２ｆ、２ｆ、２ｆ・・・は、吸気部２ｋの径よりも、排気部２ｌの径のほうが小さく形成されている。即ち、断面形状が略擂り鉢状（略台形状）に形成されているのである。
【００１７】
第３換気孔部２ｃは、断面形状が略台形形状の多数の換気孔２ｇ、２ｇ、２ｇ、２ｇ・・・からなり、個々の換気孔２ｇ、２ｇ、２ｇ、２ｇ・・・は、吸気部２ｋ、２ｋ、２ｋ、２ｋ・・・から排気部２ｌ、２ｌ、２ｌ、２ｌ・・・方向に向かう従って、第１換気孔部２ａに向かうように穿設されている。また、換気孔２ｇ、２ｇ、２ｇ、２ｇ・・・は、吸気部２ｋの径よりも、排気部２ｌの径のほうが小さく作られている。
【００１８】
第４換気孔部２ｄは、多数の換気孔２ｈ、２ｈ、２ｈ、２ｈ・・・からなり、個々の換気孔２ｈ、２ｈ、２ｈ、２ｈ・・・は、吸気部２ｋ、２ｋ、２ｋ、２ｋ・・・から排気部２ｌ、２ｌ、２ｌ、２ｌ・・・方向に向かうにつれて、第３換気孔部２ｃに向かうように穿設されている。また、換気孔２ｈ、２ｈ、２ｈ、２ｈ・・・は、吸気部２ｋの径よりも、排気部２ｌの径のほうが小さく作られている。
【００１９】
図２に示すように、室内、事務室内等にある汚れた空気は、換気口カバー２のそれぞれ吸気部２ｋから排気部２ｌへの傾斜方向が異なる第１換気孔部２ａ、第２換気孔部２ｂ、第３換気孔部２ｃ、第４換気孔部２ｄに吸い込まれる時に、換気口カバー２の下部で渦巻き状の流れを作り、換気口カバー２の真下方向の周辺ににある汚れた空気をも引き入れながら換気口カバー２の換気孔２ｈに吸引される。
【００２０】
図３は本発明である換気口カバーの第１実施例を示した図２中の示したＡ−Ａ線に沿った断面図、図４は本発明である換気口カバーの第１実施例で、図２に示したＢ−Ｂ線に沿った断面図である。
【００２１】
図３に示すように、第２換気孔部２ｂの換気孔２ｆ、２ｆ、２ｆの吸気部２ｋに対して排気部２ｌの径は小さく、下面２ｊの吸気部２ｋから上面２ｉの排気部２ｌへ向かうにつれて前記換気孔２ｆ、２ｆ、２ｆ、２ｆ・・・は、第４換気孔部２ｄに向かうように傾斜して穿設されており、Ａ−Ａ線の断面では略台形状に形成されている。即ち、擂り鉢状に形成されている。
【００２２】
また、第４換気孔部２ｄの換気孔２ｈ、２ｈ、２ｈも、吸気部２ｋに対して排気部２ｌの径が小さい。Ａ−Ａ線の断面よりみると換気孔２ｈ、２ｈ、２ｈは、上面２ｉ寄りが吸気部２ｋ、下面２ｊ寄りが排気部２ｌとなるように穿設されている。擂り鉢状に穿設されている。
【００２３】
図４に示すように、第４換気孔部２ｄの吸引口が同一方向に向いた換気孔２ｈ、２ｈ、２ｈの吸気部２ｋに対して排気部２ｌの径が小さく、下面２ｊの吸気部２ｋから上面２ｉの排気部２ｌへ向かうにつれて、前記換気孔２ｈ、２ｈ、２ｈ、２ｈ・・・は、第３換気孔部２ｃに向かうように穿設されており、Ｂ−Ｂ線の断面では略台形状に形成されている。
【００２４】
第３換気孔部２ｃの換気孔２ｇ、２ｇ、２ｇも吸気部２ｋに対して排気部２ｌの径が小さい。また、Ｂ−Ｂ線より見たとき、奥側が吸気部２ｋ、手前が排気部２ｌとなるように傾斜して穿設されているため、斜設されているようには見えない。
【００２５】
第１換気孔部２ａ〜第４換気孔部２ｄに穿設されている吸引口が同一方向に向いた各換気孔２ｅ〜２ｈの内壁面の一部は垂直状で平坦に形成されているとともに、内壁面の他部は傾斜面条に形成されている。
【００２６】
図５は、換気孔カバーの第２実施例の平面図である。換気孔カバー４は、第１換気孔部４ａ、第２換気孔部４ｂ、第３換気孔部４ｃ及び第４換気孔部４ｄからなる。そして、各換気孔部４〜４ｄには、吸引口が同一方向に向いた多数の各換気孔４ｅ、４ｆ、４ｇ、４ｈが穿設されている。
【００２７】
本例の換気口カバー４では、各換気孔部４〜４ｄに穿設されている換気孔４ｅ、４ｆ、４ｇ、４ｈの列が交互に１換気孔づつ左右方向にづれて穿設されている。
【００２８】
即ち、第１換気孔部４ａにおいて、横方向に穿設されている１列の換気孔４ｅ、４ｅ、４ｅ、４ｅとその下方に横方向に穿設されている換気孔４ｅ、４ｅ、４ｅ、４ｅは、上方に横方向に穿設されている換気孔４ｅ、４ｅ、４ｅ、４ｅとは１換気孔４ｅ分だけずれてしかも交互に穿設してある。
【００２９】
図５に示すように、第１換気孔部４ａは、多数の換気孔４ｅ、４ｅ、４ｅ、４ｅ・・・からなり、個々の換気孔４ｅ、４ｅ、４ｅ、４ｅ・・・は、吸気部４ｋ、４ｋ、４ｋ、４ｋ・・・から排気部４ｌ、４ｌ、４ｌ、４ｌ・・・方向に向かうにつれて、第２換気孔部４ｂへ向かうように傾斜して穿設されている。また、吸引口が同一方向に向いた換気孔４ｅ、４ｅ、４ｅ、４ｅ・・・は、吸気部４ｋの径よりも、排気部４ｌの径のほうが小さく形成されている。
【００３０】
第２換気孔部４ｂは、吸引口が同一方向に向いた多数の換気孔４ｆ、４ｆ、４ｆ、４ｆ・・・からなり、吸引口が同一方向に向いた個々の換気孔２ｆ、２ｆ、２ｆ、２ｆ・・・は、吸気部４ｋ、４ｋ、４ｋ、４ｋ・・・から排気部４ｌ、４ｌ、４ｌ、４ｌ・・・方向に向かうにつれて、第４換気孔部４ｄに向かうように傾斜して穿設されている。また、吸引口が同一方向に向いた換気孔４ｆ、４ｆ、４ｆ、４ｆ・・・は、吸気部４ｋの径よりも、排気部４ｌの径のほうが小さく形成されている。
【００３１】
第３換気孔部４ｃには、多数の換気孔４ｇ、４ｇ、４ｇ、４ｇ・・・が穿設されている。個々の換気孔４ｇ、４ｇ、４ｇ、４ｇ・・・は、吸気部４ｋ、４ｋ、４ｋ、４ｋ・・・から排気部４ｌ、４ｌ、４ｌ、４ｌ・・・方向に向かうにつれて、第１換気孔部４ａに向かうように傾斜して穿設されている。また、吸引口が同一方向に向いた換気孔４ｇ、４ｇ、４ｇ、４ｇ・・・は、吸気部４ｋの径よりも、排気部４ｌの径のほうが小さく形成されている。
【００３２】
第４換気孔部４ｄは、多数の換気孔４ｈ、４ｈ、４ｈ、４ｈ・・・からなり、個々の換気孔４ｈ、４ｈ、４ｈ、４ｈ・・・は、吸気部４ｋ、４ｋ、４ｋ、４ｋ・・・から排気部４ｌ、４ｌ、４ｌ、４ｌ・・・方向に向かうにつれて、第３換気孔部４ｃに向かうように傾斜して穿設されている。また、吸引口が同一方向に向いた換気孔４ｈ、４ｈ、４ｈ、４ｈ・・・は、吸気部４ｋの径よりも、排気部４ｌの径のほうが小さく形成されている。
【００３３】
図５に示すように、換気孔カバー４の下面４ｊに設けられた第１換気孔部４ａ、第２換気孔部４ｂ、第３換気孔部４ｃ、第４換気孔部４ｄの吸気部４ｋは、横一列毎に吸気部４ｋが隣の列の吸気部４ｋと半個分ずれて互い違いに穿設されており、また換気孔部により吸気方向が異なっているため、換気孔カバー４の下部で渦巻き状の空気の流れを作りやすく、周囲の空気が集まりやすい。
【００３４】
図６は、換気口カバーの第２実施例のＣ−Ｃ線に沿った断面図、図７は、第２実施例のＤ−Ｄ線に沿った断面図である。
【００３５】
図６に示すように、第２換気孔部４ｂの換気孔４ｆ、４ｆの吸気部４ｋに対して排気部４ｌの径は小さく、下面４ｊの吸気部４ｋから上面４ｉの排気部４ｌへ向かうにつれて、前記吸引口が同一方向に向いた換気孔４ｆ、４ｆは、第４換気孔部４ｄに向かうように傾斜して穿設されており、Ｃ−Ｃ線の断面より見ると略台形状をしている。
【００３６】
また、第４換気孔部４ｄの換気孔４ｈ、４ｈも、吸気部４ｋに対して排気部４ｌの径が小さい。Ｃ−Ｃ線の断面よりみると換気孔４ｈ、４ｈ、４ｈは、奥側が吸気部４ｋ、手前が排気部４ｌとなるように穿設されているため、傾斜しているようには見えない。
【００３７】
図７に示すように、前記吸引口が同一方向に向いた換気孔４ｈ、４ｈ、４ｈ、４ｈの吸気部４ｋに対して排気部４ｌの径は小さく、下面４ｊの吸気部４ｋから上面４ｉの排気部４ｌへ向かうにつれて、前記換気孔４ｈ、４ｈ、４ｈ、４ｈ・・・は、第３換気孔部４ｃに向かうように傾斜して穿設されており、Ｄ−Ｄ線の断面より見ると略台形状をしている。
【００３８】
前記吸引口が同一方向に向いた換気孔４ｇ、４ｇ、４ｇ、４ｇも吸気孔４ｋに対して排気部４ｌの径が小さい。また、Ｄ−Ｄ線よりみたとき、奥側が吸気部４ｋ、手前が排気部４ｌとなるように穿設されているため、傾斜しているように見えない。
【００３９】
第１換気孔部４ａ〜第４換気孔部４ｄに穿設されている吸引口が同一方向に向いた各換気孔４ｅ〜４ｈの内壁面の一部は垂直状で平坦に形成されているとともに、内壁面の他部は傾斜面状に形成されている。
【００４０】
図８は、換気口カバーの第３実施例の平面図である。換気孔カバー５は、多数の吸引口が同一方向に向いた各換気孔５ｅ、５ｆ、５ｇ、５ｈが穿設されており、４箇所に分けて説明する。即ち、第１換気孔部５ａ、第２換気孔部５ｂ、第３換気孔部５ｃ、第４換気孔部５ｄである。
【００４１】
図８に示すように、第１換気孔部５ａは、多数の換気孔５ｅ、５ｅ、５ｅ、５ｅからなり、個々の換気孔５ｅ、５ｅ、５ｅ、５ｅ・・・は、吸気部５ｋ、５ｋ、５ｋ、５ｋ・・・から排気部５ｌ、５ｌ、５ｌ、５ｌ・・・方向に向かうにつれて、第２換気孔部５ｂ側へ傾斜するように穿設されている。
【００４２】
また、吸引口が同一方向に向いた換気孔５ｅ、５ｅ、５ｅ、５ｅ・・・の吸気部５ｋ及び排気部５ｌは、長方形状をしており、吸気部５ｋよりも排気部５ｌのほうが面積が小さい。即ち、孔の大きさが小さい。
【００４３】
第２換気孔部５ｂは、多数の換気孔５ｆ、５ｆ、５ｆ、５ｆ・・・からなり、個々の換気孔５ｆ、５ｆ、５ｆ、５ｆ・・・は、吸気部５ｋ、５ｋ、５ｋ、５ｋ・・・から排気部５ｌ、５ｌ、５ｌ、５ｌ・・・方向に向かうにつれて、第４換気孔５ｄ側へ傾斜するように穿設されている。
【００４４】
また、吸引口が同一方向に向いた換気孔５ｆ、５ｆ、５ｆ、５ｆ・・・の吸気部５ｋ及び排気部５ｌは、長方形形状をしており、吸気部５ｋよりも排気部５ｌのほうが孔の面積が小さい。
【００４５】
第３換気孔部５ｃは、多数の換気孔５ｇ、５ｇ、５ｇ、５ｇ・・・からなり、個々の換気孔５ｇ、５ｇ、５ｇ、５ｇ・・・は、吸気部５ｋ、５ｋ、５ｋ、５ｋ・・・から排気部５ｌ、５ｌ、５ｌ、５ｌ・・・方向に向かうにつれて、第１換気孔部５ａ側へ傾斜するように穿設されている。
【００４６】
また、吸引口が同一方向に向いた換気孔５ｇ、５ｇ、５ｇ、５ｇ・・・の吸気部５ｋ及び排気部５ｌは、長方形形状をしており、吸気部５ｋよりも排気部５ｌのほうが、面積が小さい。
【００４７】
第４換気孔部５ｄは、多数の換気孔５ｈ、５ｈ、５ｈ、５ｈ・・・からなり、個々の換気孔５ｈ、５ｈ、５ｈ、５ｈ・・・は、吸気部５ｋ、５ｋ、５ｋ、５ｋ・・・から排気部５ｌ５ｌ５ｌ５ｌ・・・方向に向かうにつれて、第３換気孔部５ｃ側へ傾斜するように穿設されている。
【００４８】
また、吸引口が同一方向に向いた換気孔５ｈ、５ｈ、５ｈ、５ｈ・・・の吸気部５ｋ及び排気部５ｌは、長方形形状をしており、吸気部５ｋよりも排気部５ｌのほうが、面積が小さい、
【００４９】
図８に示すように、換気口カバー５の下面５ｊに設けられた第１換気孔部５ａ、第２換気孔部５ｂ、第３換気孔部５ｃ、第４換気孔部５ｄの吸気部５ｋから排気部５ｌの傾斜方向がそれぞれ異なっているため、換気孔カバー５の下部で渦巻き状の空気の流れを作りやすく、周囲の空気が集まりやすい。
【００５０】
図９は、換気口カバーの第３実施例のＥ−Ｅ線に沿った断面図、図１０は、換気口カバーの第３実施例のＦ−Ｆ線に沿った断面図である。
【００５１】
図９に示すように、第２換気孔部５ｂの換気孔５ｆ、５ｆ、５ｆ、５ｆ・・・の吸気部５ｋに対して排気部５ｌの面積は狭く、下面５ｊの吸気部５ｋから上面５ｉの排気部５ｌへ向かうにつれて、前記吸引口が同一方向に向いた換気孔５ｆ、５ｆ、５ｆ、５ｆ・・・は、第４換気孔部５ｄ側に傾斜して穿設されており、Ｅ−Ｅ線の断面より見ると略台形状をしている。
【００５２】
また、第４換気孔部５ｄの換気孔５ｈ、５ｈも、吸気部５ｋに対して排気部５ｌの面積が小さい。Ｅ−Ｅ線の断面よりみると換気孔５ｈ、５ｈは、奥側が吸気部５ｋ、手前が排気部５ｌとなるように穿設されているため、傾斜しているようには見えない。
【００５３】
図１０に示すように、吸引口が同一方向に向いた換気孔５ｈ、５ｈ、５ｈ、５ｈの吸気部５ｋに対して排気部５ｌの面積の方が狭く、下面５ｊの吸気部５ｋから上面５ｉの排気部５ｌへ向かうにつれて、前記換気孔５ｈ、５ｈ、５ｈ、５ｈは、第３換気孔部５ｃ側へ傾斜して穿設されており、Ｆ−Ｆ線の断面より見ると略台形状をしている。
【００５４】
前記換気孔５ｇ、５ｇ、５ｇ、５ｇも吸気部５ｋに対して排気部５ｌの面積が狭い。また、Ｆ−Ｆ線よりみたとき、奥側が吸気部５ｋ、手前が排気部５ｌとなるように穿設さえているため、傾斜しているようには見えない。
【００５５】
図１１は、換気口カバーの第４実施例の平面図である。換気孔カバー６は、換気孔６ｅ、６ｆ、６ｇ、６ｈが穿設されており、４箇所に分けて説明する。即ち、第１換気孔部６ａ、第２換気孔部６ｂ、第３換気孔部６ｃ、第４換気孔部６ｄである。
【００５６】
図１１に示すように、第１換気孔部６ａには、多数の換気孔６ｅ、６ｅ、６ｅ、６ｅ・・・か穿設されている。前記換気孔６ｅ、６ｅ、６ｅ、６ｅ・・・には、断面形状がＶ字型の条溝６ｉ、６ｉ、６ｉ、６ｉ・・・が形成されている。
【００５７】
前記換気孔６ｅ、６ｅ、６ｅ、６ｅ・・・において、断面形状がＶ字型の条溝６ｉ、６ｉ、６ｉ、６ｉ・・・が穿設された側は、空気の吸込口となり、第１換気孔部６ａでは、Ｖ字型の条溝６ｉは第２換気孔部６ｂとは反対側に穿設されているため、吸い込まれた後、空気は第２換気孔部６ｂの方向へ流れる。
【００５８】
第２換気孔部６ｂは、多数の換気孔６ｆ、６ｆ、６ｆ、６ｆ・・・からなり、吸引口が同一方向に向いた個々の換気孔６ｆ、６ｆ、６ｆ、６ｆ・・・は、基盤６ｍより膨出して設置されている。
【００５９】
前記換気孔６ｆ、６ｆ、６ｆ、６ｆ・・・には、Ｖ字型の条溝６ｊ、６ｊ、６ｊ、６ｊ・・・が近設されており、前記換気孔６ｆ、６ｆ、６ｆ、６ｆ・・・とは反対側に基盤６ｍより斜めに突出している。
【００６０】
前記換気孔６ｆ、６ｆ、６ｆ、６ｆ・・・において、Ｖ字型の条溝６ｊ、６ｊ、６ｊ、６ｊ・・・が穿設された側は、空気の吸込口となり、第２換気孔部６ｂでは、Ｖ字型の条溝６ｊは、第４換気孔部６ｄとは反対側に穿設されているため、吸い込まれた後、空気は第４換気孔部６ｄの方向へ流れる。
【００６１】
第３換気孔部６ｃは、多数の換気孔６ｇ、６ｇ、６ｇ、６ｇ・・・からなり、個々の換気孔６ｇ、６ｇ、６ｇ、６ｇ・・・は、基盤６ｍより膨出して設置されている。前記換気孔６ｇ、６ｇ、６ｇ、６ｇ・・・には、断面形状がＶ字型の条溝６ｋ、６ｋ、６ｋ、６ｋ・・・が近設されており、前記換気孔６ｇ、６ｇ、６ｇ、６ｇ・・・とは反対側に基盤６ｍより斜めに突出している。
【００６２】
前記吸引口が同一方向に向いた換気孔６ｇ、６ｇ、６ｇ、６ｇ・・・において、Ｖ字型の条溝６ｋ、６ｋ、６ｋ、６ｋ・・・が穿設された側は、空気の吸込口となり、第３換気孔部６ｃでは、Ｖ字型の条溝６ｋは、前記第１換気孔部６ａとは反対側に穿設されているため、吸い込まれた後、空気は第１換気孔部６ａの方向へ流れる。
【００６３】
第４換気孔部６ｄは、多数の吸引口が同一方向に向いた換気孔６ｈ、６ｈ、６ｈ、６ｈ・・・からなり、個々の換気孔６ｈ、６ｈ、６ｈ、６ｈ・・・は、基盤６ｍより膨出して設置されている。前記換気孔６ｈ、６ｈ、６ｈ、６ｈ・・・には、断面形状がＶ字型の条溝６ｌ、６ｌ、６ｌ、６ｌ・・・が近設されており、前記換気孔６ｈ、６ｈ、６ｈ、６ｈ・・・とは反対側に基盤６ｍより斜めに突出している。
【００６４】
前記換気孔６ｈ、６ｈ、６ｈ、６ｈ・・・において、Ｖ字型の条溝６ｌ、６ｌ、６ｌ、６ｌ・・・が穿設された側は、空気の吸込口となり、第４換気孔部６ｄでは、Ｖ字型の条溝６ｌは、前記第４換気孔部６ｄとは反対側に穿設されているため、吸い込まれた後、空気は第４換気孔部６ｄの方向へ流れる。
【００６５】
図１２は、換気口カバーの第４実施例のＧ−Ｇ線に沿った断面図、図１３は、換気口カバーの第４実施例のＨ−Ｈ線に沿った断面図である。
【００６６】
図１２に示すように、吸引口が同一方向に向いた換気孔６ｆ、６ｆ、６ｆ、６ｆ・・・に近設されたＶ字型の条溝６ｊ、６ｊ、６ｊ、６ｊ・・・は、第４換気孔部６ｄ方向に向けて斜設されており、空気は吸引口が同一方向に向いた換気孔６ｆ、６ｆ、６ｆ、６ｆ・・・のＶ字型の条溝６ｊ、６ｊ、６ｊ、６ｊ・・・側より吸い込まれ第４換気孔部６ｄ方向に向けて流れていく。また、換気孔６ｈ、６ｈ、６ｈ、６ｈ・・・は、Ｇ−Ｇ線の断面よりみると、略台形状をしている。
【００６７】
図１３に示すように、吸引口が同一方向に向いた換気孔６ｈ、６ｈ、６ｈ、６ｈ・・・吸引口に設けられたＶ字型の条溝６ｌ、６ｌ、６ｌ、６ｌ・・・は、第３換気孔部６ｃ方向に向けて斜設されており、空気は吸引口が同一方向に向いた換気孔６ｈ、６ｈ、６ｈ、６ｈ・・・のＶ字型の条溝６ｌ、６ｌ、６ｌ、６ｌ・・・側より吸い込まれ第３換気孔部６ｃ方向に向けて流れていく。また、吸引口が同一方向に向いた換気孔６ｇ、６ｇ、６ｇ、６ｇ・・・は、Ｈ−Ｈ線の断面よりみると、略台形状をしている。
【００６８】
第１換気孔部６ａ、第２換気孔部６ｂ、第３換気孔部６ｃ及び第４換気孔部６ｄに穿設されている吸引口が同一方向に向いた個々の換気孔６ｅ・・・、６ｆ・・・、６ｇ・・・、６ｈ・・・には、断面形状が略Ｌ字型の誘導部が換気口カバー６の基盤６ｍより下方に突出するように形成されている。
【００６９】
図１４は、換気口カバーの第５実施例の平面図である。換気口カバー７は、第１換気孔部７ａと第２換気孔部７ｂからなり、第１換気孔部７ａ及び第２換気孔部７ｂには、多数の換気孔７ｃ、７ｆが穿設されている。
【００７０】
図１４に示すように、第１換気孔部７ａは、多数の換気孔７ｃ、７ｃ、７ｃ、７ｃ・・・からなり、個々の換気孔７ｃ、７ｃ、７ｃ、７ｃ・・・は、基盤７ｇより下方に突設されている。前記換気孔７ｃ、７ｃ、７ｃ、７ｃ・・・の吸引口には、条溝７ｅ、７ｅ、７ｅ、７ｅ・・・が形成されている。
【００７１】
第２換気孔部７ｂは、多数の換気孔７ｄ、７ｄ、７ｄ、７ｄ・・・からなり、吸引口が同一方向に向いた個々の換気孔７ｄ、７ｄ、７ｄ、７ｄ・・・は、基盤７ｇより膨出して設置されている。
【００７２】
前記吸引口が同一方向に向いた換気孔７ｄ、７ｄ、７ｄ、７ｄ・・・の吸引口には、条溝７ｆ、７ｆ、７ｆ、７ｆ・・・が形成されていて、前記換気孔７ｄ、７ｄ、７ｄ、７ｄ・・・とは逆方向に換気口カバーの基盤７ｇより斜めに突出している。
【００７３】
吸引口が同一方向に向いた換気孔７ｃ・・・・及び７ｄ・・・の吸引口には条溝７ｅ、７ｆが形成されていて、汚れている空気の吸込口となる。換気口カバーカバー７では、第１換気孔部７ａと第２換気孔部７ｂの吸込口は共に逆方向に形成されている。そのために、吸い込まれる空気の流れも反対方向の流れになる。即ち、換気口カバー７は、換気口カバー６における吸込口の方向が２方向になったものである。
【００７４】
図１５は、換気孔カバーの第５実施例のＩ−Ｉ線に沿った断面図である。第１換気孔部７ａ及び第２換気孔部７ｂに穿設されている個々の換気孔７ｄ・・・・、７ｆ・・・には、断面形状が略Ｌ字型の誘導部７ｈが換気口カバー７の基盤７ｇより下方に突出する形成されている。
【００７５】
図１６は、換気口カバーの第５実施例の図１４中に示したＪ−Ｊ線に沿った断面図である。Ｊ−Ｊ線の断面より見ると、吸引口が同一方向に向いた各換気孔７ｃ、７ｄは略台形状の孔である。
【００７６】
図１７は、換気孔カバーの第６実施例の平面図である。本例の換気口カバー８は、円形状の換気口カバーである。換気口カバー８は、外換気孔部８ａと内換気孔部８ｂがあり、外換気孔部８ａ及び内換気孔部８ｂの吸引口が同一方向に向いた各換気孔８ｃ、８ｆは、換気口カバー８の中心部から放射状に設けられている。
【００７７】
外換気孔部８ａには、換気孔８ｃ、８ｃ、８ｃ、８ｃ・・・が放射状かつ円形状にか設けられていて、個々の換気孔８ｃ、８ｃ、８ｃ、８ｃ・・・の吸引口には断面形状がＶ字型の条溝８ｅ、８ｅ、８ｅ、８ｅ・・・が設けてある。
【００７８】
多数の円形状に配設した誘導部８ｉを有する換気孔８ｃ、８ｃ、８ｃ、８ｃ・・・は、下面８ｇより下方に突出して設けられていて、略長方形状の換気孔である。断面形状がＶ字型の条溝８ｅ、８ｅ、８ｅ、８ｅ・・・は、吸引口が同一方向に向いた換気孔８ｃの吸引口に形成されている。
【００７９】
内換気孔部８ｂは、多数の円形状に配設した誘導部８ｉを有する換気孔８ｄ、８ｄ、８ｄ、８ｄ・・・からなり、吸引口が同一方向に向いた個々の換気孔８ｄ、８ｄ、８ｄ、８ｄ・・・の吸引口には断面形状がＶ字型の条溝８ｆ、８ｆ、８ｆ、８ｆ・・・が形成されている。
【００８０】
断面形状がＬ字型の誘導部８ｈを有する吸引口が同一方向に向いた換気孔８ｄ、８ｄ、８ｄ、８ｄ・・・は、換気口カバー８の下面８ｇより下方に突出して設けられていて、略長方形状の換気孔である。
【００８１】
外換気孔部８ａ及び内換気孔部８ｂは、換気口カバー８の中心部より放射状に設けてある。吸引口が同一方向に向いた換気孔８ｃ、８ｄの吸引口、即ち、吸引口に条溝８ｅ、８ｆが一定方向に揃えられて設けられているため、汚れている空気は渦巻き状に換気孔８ｃ、８ｄに吸い込まれていく。
【００８２】
図１８は、換気口カバーの第６実施例のＫ−Ｋ線に沿った断面図である。図１８に示すように、換気口カバー８の下面８ｇに穿設されている吸引口が同一方向に向いた各換気孔８ｃ、８ｄは、Ｋ−Ｋ線の断面より見ると略台形状をしている。図１７中のＱーＱ線に沿った断面形状の誘導部８ｈ、８ｉは、図１５に示したような略Ｌ字型の誘導部である。
【００８３】
図１９は、換気口カバーの第７実施例の平面図である。本例の換気口カバー９は、第１換気孔部９ａ、第２換気孔部９ｂ、第３換気孔部９ｃ及び第４換気孔部９ｄからなり、各換気孔部９ａ〜９ｃには、吸引口が同一方向に向いた多数の換気孔９ｉ、９ｊ、９ｋ、９ｌが穿設されている。
【００８４】
図１９に示すように、第１換気孔部９ａには吸引口が同一方向に向いた多数の換気孔９ｉ、９ｉ、９ｉ、９ｉ・・・が穿設されている。個々の換気孔９ｉ、９ｉ、９ｉ、９ｉ・・・には、断面形状が略Ｌ字型の誘導部９ｅ、９ｅ、９ｅ、９ｅ・・・で覆われている。
【００８５】
誘導部９ｅ、９ｅ、９ｅ、９ｅ・・・は、１面だけ空気の吸引口となるように空間が設けられており、第１換気孔部９ａでは、誘導部９ｅの空間は隣の第２換気孔部９ｂとは逆側の面に設けられているため、汚れた空気は第１換気孔部９ａに吸い込まれる際、前記第２換気孔部９ｂの方向に向かって吸い込まれていく構造となっている。
【００８６】
第２換気孔部９ｂは、吸引口が同一方向に向いた多数の換気孔９ｊ、９ｊ、９ｊ、９ｊ・・・からなり、個々の換気孔９ｊ、９ｊ、９ｊ、９ｊ・・・は、断面形状が略Ｌ字型の誘導部９ｆ、９ｆ、９ｆ、９ｆ・・・で覆われている。
【００８７】
誘導部９ｆ、９ｆ、９ｆ、９ｆ・・・は、１面だけ空気の吸引口となるように空間が設けられており、第２換気孔部９ｂでは、誘導部９ｆの内方に形成されている吸引口は隣接の第４換気孔部９ｄとは逆の位置に設けられているため、空気は第２換気孔部９ｂに吸い込まれる際、前記第４換気孔部９ｄの方向に向かって吸い込まれていく構造となっている。
【００８８】
第３換気孔部９ｃは、吸引口が同一方向に向いた多数の換気孔９ｋ、９ｋ、９ｋ、９ｋ・・・からなり、個々の換気孔９ｋ、９ｋ、９ｋ、９ｋ・・・には誘導部９ｇ、９ｇ、９ｇ、９ｇ・・・で覆われている。
【００８９】
前記誘導部９ｇ、９ｇ、９ｇ、９ｇ・・・は、一方方向だけが汚れた空気の吸引口となるように形成されていて、第３換気孔部９ｃでは、誘導部９ｇの吸引口は隣接の第１換気孔部９ａとは逆方向に設けられているため、汚れた空気は第３換気孔部９ｃに吸い込まれる際、前記第１換気孔部９ａに向かって吸い込まれる構造である。
【００９０】
第４換気孔部９ｄは、吸引口が同一方向に向いた多数の換気孔９ｌ、９ｌ、９ｌ、９ｌ・・・からなり、個々の換気孔９ｌ、９ｌ、９ｌ、９ｌ・・・は、誘導部９ｈ、９ｈ、９ｈ、９ｈ・・・で覆われている。
【００９１】
前記誘導部９ｈ、９ｈ、９ｈ、９ｈ・・・は、一方向だけから空気の吸引口となるように吸引口が設けられており、第４換気孔部９ｄでは、誘導部９ｈの吸引口は隣の第３換気孔部９ｃとは逆側の方向に設けられているため、空気は第４換気孔部９ｄに吸い込まれる際、前記第３換気孔部９ｃの方向に向かって吸い込まれていく。
【００９２】
図２０は、換気口カバーの第７実施例のＬ−Ｌ線に沿った断面図、図２１は、Ｍ−Ｍ線に沿った断面図である。
【００９３】
図２０に示すように、第２換気孔部９ｂの吸引口が同一方向に向いた換気孔９ｊ、９ｊ、９ｊ、９ｊ・・・を覆うように設置された誘導部９ｆ、９ｆ、９ｆ、９ｆ・・・は空気の吸引口となる吸引口を第４換気孔部９ｄとは異なる方向に設けて設置されている。そのため、前記第２換気孔部９ｂに吸い込まれてくる空気は、吸気後第４換気孔９ｄ方向に向かって流れる。
【００９４】
また、Ｌ−Ｌ線に沿った断面においては、第４換気孔部９ｄの換気孔９ｌ、９ｌ、９ｌ、９ｌ・・・を覆うように設置された誘導部９ｈ、９ｈ、９ｈ、９ｈ・・・は、中が空洞で略長方形状に突出している。
【００９５】
図２１に示すように、第４換気孔部９ｄの吸引口が同一方向に向いた換気孔９ｌ、９ｌ、９ｌ、９ｌ・・・を覆うように設置された誘導部９ｈ、９ｈ、９ｈ、９ｈ・・・は空気の吸引口を第３換気孔部９ｃとは異なる方向に設けて設置されている。そのため、前記第４換気孔部９ｄに吸い込まれてく汚れた空気は、吸気後第３換気孔部９ｃの方向に向かって流れて吸引される。
【００９６】
また、Ｍ−Ｍ線に沿った断面においては、第２換気孔部９ｂの吸引口が同一方向に向いた換気孔９ｋ、９ｋ、９ｋ、９ｋ・・・を覆うように設置された誘導部９ｇ、９ｇ、９ｇ、９ｇ・・・は、中が空洞で略長方形状に突出している。
【００９７】
図２２は、本発明である換気口カバーの第８の実施例の平面図である。本例の換気口カバー１０は、第１換気孔部１０ａと第２換気孔部１０ｂからなり、第１換気孔部１０ａと第２換気孔部１０ｂにはそれぞれ多数の換気孔１０ｅ、１０ｆが穿設されている。
【００９８】
図２２に示すように、第１換気孔部１０ａは、吸引口が同一方向に向いた多数の換気孔１０ｅ、１０ｅ、１０ｅ、１０ｅ・・・からなり、個々の換気孔１０ｅ、１０ｅ、１０ｅ、１０ｅ・・・には、それぞれ誘導部１０ｃ、１０ｃ、１０ｃ、１０ｃ・・・が形成されている。
【００９９】
前記誘導部１０ｃ、１０ｃ、１０ｃ、１０ｃ・・・は、換気孔１０ｅ、１０ｆの吸引口が同一方向に向くように設けられており、汚れた空気の吸い込み方向を同一方向から吸い込むような構造としている。
【０１００】
また、第２換気孔部１０ｂは、吸引口が同一方向に向いた多数の換気孔１０ｆ、１０ｆ、１０ｆ、１０ｆ・・・からなり、個々の換気孔１０ｆ、１０ｆ、１０ｆ、１０ｆ・・・には、断面形状が直線状の誘導部１０ｄ、１０ｄ、１０ｄ、１０ｄ・・・が下面から下方に突出するように形成されている。
【０１０１】
誘導部１０ｄ、１０ｄ、１０ｄ、１０ｄ・・・は、同一方向にある汚れた空気を吸い込むように換気孔１０の吸引口が設けられており、空気の吸い込み方向を同一方向となるようにしている。尚、前記誘導部１０ｃ、１０ｃ、１０ｃ、１０ｃ・・・と１０ｄ、１０ｄ、１０ｄ、１０ｄ・・・に設けられた換気孔１０ｆの吸引口は、逆方向を向いているように設けられている。
【０１０２】
図２３は、換気口カバーの第８実施例のＮ−Ｎ線に沿った断面図、図２４は、Ｏ−Ｏ線に沿った断面図である。
【０１０３】
図２３に示すように、Ｎ−Ｎ線に沿った断面では、換気孔１０ｆ、１０ｆ、１０ｆ、１０ｆ・・・を覆うように設けた誘導部１０ｄ、１０ｄ、１０ｄ、１０ｄ・・・は、同一方向を向くように換気口カバー１０の下面に突設されている。
【０１０４】
図２４に示すように、Ｏ−Ｏ線に沿った　　　　　断面形状では、誘導部１０ｄ、１０ｄ、１０ｄ、１０ｄ・・・内は、空洞であるとともに略台形形状をしている。
【０１０５】
図２５は、本発明である換気口カバーの第９の実施例の平面図である。本例の換気口カバー１１は円形状の換気口カバーであり、換気口カバー１１の下面１１ｋに外換気孔部１１ａと内換気孔部１１ｂを円形状かつ放射線状に設けている。
【０１０６】
外換気孔部１１ａは空気の吸引方向を一定方向とするための換気羽１１ｃを設けた多数の換気孔１１ｄ、１１ｄ、１１ｄ、１１ｄ・・・からなる。また、内換気孔部１１ｂも同様に換気羽１１ｅを設けた多数の換気孔１１ｆ、１１ｆ、１１ｆ、１１ｆ・・・からなる。
【０１０７】
外換気孔部１１ａの換気羽１１ｃは、多数の換気孔１１ｄ、１１ｄ、１１ｄ、１１ｄ・・・内に傾斜させて取り付ける。また、内換気孔部１１ｂの換気羽１１ｅもまた多数の換気孔１１ｆ、１１ｆ、１１ｆ、１１ｆ・・・に傾斜させて取り付ける。
【０１０８】
図２６は、換気口カバーの第９実施例のＰ−Ｐ線に沿った断面図である。
図２６に示すように、空気の吸引方向を一定方向とするための換気羽１１ｃ、１１ｅは、換気孔１１ｄ、１１ｆより上方及び下方に突出して設けられているため、下面１１ｋより上下方向に突出している。即ち、上突出部１１ｇ、１１ｉと下突出部１１ｈ、１１ｊである。
【０１０９】
前記上突出部１１ｇ、１１ｉは換気口カバー１１を使用した際に換気扇側に突出する部分であり、前記下突出部１１ｈ、１１ｊは換気扇とは反対側に突出する部分である。
【０１１０】
図２６に示すように、空気の吸引方向を一定方向とするための換気羽１１ｃ、１１ｅは中心より上下方向に向かって斜めに突出しているため、Ｐ−Ｐ線に沿った断面形状では略台形状をしている。
【０１１１】
【発明の効果】
本発明は、以上に説明したような構成であるから以下の効果が得られる。第１に、換気孔が斜めに設置されているため、空気が換気口カバーを通る際に周りの空気を集めやすい渦巻き状の空気の流れができやすいため、従来の換気扇の吸引力以上の吸引効果を発揮し、室内、事務室内等にある汚れた空気の全てが排気されるとの効果がある。
【０１１２】
第２に、従来の吸引力以上の吸引効果を実現したため、短時間でより多くの空気を集め、換気することができるので、使用電力も減り非常に経済的である。また、本発明の換気口カバーは、別途電力を要するということがないために電力を使用することもない。
【図面の簡単な説明】
【図１】本発明である換気口カバーを使用し空気の流れを示した断面図である。
【図２】本発明である換気口カバーの第１実施例の底面図である。
【図３】本発明である換気口カバーの第１実施例のＡ−Ａ線に沿った断面図である。
【図４】本発明である換気口カバーの第１実施例のＢ−Ｂ線に沿った断面図である。
【図５】本発明である換気口カバーの第２実施例の平面図である。
【図６】本発明である換気口カバーの第２実施例のＣ−Ｃ線に沿った断面図である。
【図７】本発明である換気口カバーの第２実施例のＤ−Ｄ線に沿った断面図である。
【図８】本発明である換気口カバーの第３実施例の平面図である。
【図９】本発明である換気口カバーの第３実施例のＥ−Ｅ線に沿った断面図である。
【図１０】本発明である換気口カバーの第３実施例のＦ−Ｆ線に沿った断面図である。
【図１１】本発明である換気口カバーの第４実施例の平面図である。
【図１２】本発明である換気口カバーの第４実施例のＧ−Ｇ線に沿った断面図である。
【図１３】本発明である換気口カバーの第４実施例のＨ−Ｈ線に沿った断面図である。
【図１４】本発明である換気口カバーの第５実施例の平面図である。
【図１５】本発明である換気口カバーの第５実施例のＩ−Ｉ線に沿った断面図である。
【図１６】本発明である換気口カバーの第５実施例のＪ−Ｊ線に沿った断面図である。
【図１７】本発明である換気口カバーの第６実施例の平面図である
【図１８】本発明である換気口カバーの第６実施例のＫ−Ｋ線に沿った断面図である。
【図１９】本発明である換気口カバーの第７の実施例の平面図である。
【図２０】本発明である換気口カバーの第７に実施例のＬ−Ｌ線に沿った断面図である。
【図２１】本発明である換気口カバーの第７の実施例のＭ−Ｍ線に沿った断面図である。
【図２２】本発明である換気口カバーの第８に実施例の平面図である。
【図２３】本発明である換気口カバーの第８の実施例のＮ−Ｎ線に沿った断面図である。
【図２４】本発明である換気口カバーの第８の実施例のＯ−Ｏ線に沿った断面図である。
【図２５】本発明である換気口カバーの第９の実施例の平面図である。
【図２６】本発明である換気口カバーの第９の実施例のＰ−Ｐ線に沿った断面図である。
【図２７】従来の換気扇を使用し、空気の流れを示した断面図である。
【図２８】従来の換気扇の平面図である。
【符号の説明】
１　　　　　　換気扇
１ａ　　　　　ファン
１ｂ　　　　　プロペラ
１ｃ　　　　　換気口
２　　　　　　換気口カバー
２ａ　　　　　第１換気孔部
２ｂ　　　　　第２換気孔部
２ｃ　　　　　第３換気孔部
２ｄ　　　　　第４換気孔部
２ｅ〜２ｈ　　換気孔
２ｉ　　　　　上面
２ｊ　　　　　下面
２ｋ　　　　　吸気部
２ｌ　　　　　排気部
３　　　　　　天井
４　　　　　　換気口カバー
４ａ　　　　　第１換気孔部
４ｂ　　　　　第２換気孔部
４ｃ　　　　　第３換気孔部
４ｄ　　　　　第４換気孔部
４ｅ〜４ｈ　　換気孔
４ｉ　　　　　上面
４ｊ　　　　　下面
４ｋ　　　　　吸気部
４ｌ　　　　　排気部
５　　　　　　換気口カバー
５ａ　　　　　第１換気孔部
５ｂ　　　　　第２換気孔部
５ｃ　　　　　第３換気孔部
５ｄ　　　　　第４換気孔部
５ｅ〜５ｈ　　換気孔
５ｉ　　　　　上面
５ｊ　　　　　下面
５ｋ　　　　　吸気部
５ｌ　　　　　排気部
６　　　　　　換気口カバー
６ａ　　　　　第１換気孔部
６ｂ　　　　　第２換気孔部
６ｃ　　　　　第３換気孔部
６ｄ　　　　　第４換気孔部
６ｅ〜６ｈ　　換気孔
６ｉ〜６ｌ　　条溝
６ｍ　　　　　基盤
７　　　　　　換気口カバー
７ａ　　　　　第１換気孔部
７ｂ　　　　　第２換気孔部
７ｃ、７ｄ　　換気孔
７ｅ、７ｆ　　条溝
７ｇ　　　　　基盤
７ｈ　　　　　誘導部
８　　　　　　換気口カバー
８ａ　　　　　外換気孔部
８ｂ　　　　　内換気孔部
８ｃ、８ｄ　　換気孔
８ｅ、８ｆ　　条溝
８ｇ　　　　　下面
８ｈ　　　　　誘導部
９　　　　　　換気口カバー
９ａ　　　　　第１換気孔部
９ｂ　　　　　第２換気孔部
９ｃ　　　　　第３換気孔部
９ｄ　　　　　第４換気孔部
９ｅ〜９ｈ　　誘導部
９ｉ〜９ｌ　　換気孔
１０　　　　　　換気口カバー
１０ａ　　　　　第１換気孔部
１０ｂ　　　　　第２換気孔部
１０ｃ、１０ｄ　誘導部
１０ｅ、１０ｆ　換気
１０ｇ　　　　　吸引口
１１　　　　　　換気口カバー
１１ａ　　　　　外換気孔部
１１ｂ　　　　　内換気孔部
１１ｃ　　　　　換気羽
１１ｄ　　　　　換気孔
１１ｅ　　　　　換気羽
１１ｆ　　　　　換気孔
１１ｇ　　　　　上突出部
１１ｈ　　　　　下突出部
１１ｉ　　　　　上突出部
１１ｊ　　　　　下突出部
１１ｋ　　　　　下面
１２　　　　　　換気口カバー
１２ａ　　　　　上面
１２ｂ　　　　　下面
１２ｃ　　　　　換気孔
【図１】
2004116811.tif 000003
【図２】
2004116811.tif 000004
【図３】
2004116811.tif 000005
【図４】
2004116811.tif 000006
【図５】
2004116811.tif 000007
【図６】
2004116811.tif 000008
【図７】
2004116811.tif 000009
【図８】
2004116811.tif 000010
【図９】
2004116811.tif 000011
【図１０】
2004116811.tif 000012
【図１１】
2004116811.tif 000013
【図１２】
2004116811.tif 000014
【図１３】
2004116811.tif 000015
【図１４】
2004116811.tif 000016
【図１５】
2004116811.tif 000017
【図１６】
2004116811.tif 000018
【図１７】
2004116811.tif 000019
【図１８】
2004116811.tif 000020
【図１９】
2004116811.tif 000021
【図２０】
2004116811.tif 000022
【図２１】
2004116811.tif 000023
【図２２】
2004116811.tif 000024
【図２３】
2004116811.tif 000025
【図２４】
2004116811.tif 000026
【図２５】
2004116811.tif 000027
【図２６】
2004116811.tif 000028
【図２７】
2004116811.tif 000029
【図２８】
2004116811.tif 000030